(57)【要約】【課題】棒状化粧料の折損を防止できる棒状化粧料繰出容器を提供する。【解決手段】容器先端側から見て長径と短径を有する形状の開口４ａを具備し、この容器先端の開口縁の短径側に、長径側の両開口縁４ｂより前方に突出する突出部４ｚを備え、使用者の操作に従って、横断面形状が長径と短径を有する棒状化粧料Ｍが前進すると、棒状化粧料Ｍの長径側の端部Ｍｂが開口４ａから出現すると共に短径側の外面が突出部４ｚに近接した状態で当該突出部４ｚにより保護される状態とし、この状態で棒状化粧料Ｍの長径側の端部Ｍｂを被塗布部に押し当て短径方向に引いて線を描いた場合に、棒状化粧料Ｍの短径側の外面を突出部４ｚにより直ちに受け止めるようにする。【選択図】図２
2008036071.tif 000002
【特許請求の範囲】
【請求項１】
横断面形状が長径と短径を有する棒状化粧料を内蔵すると共に容器先端側から見て長径と短径を有する形状の開口を先端に備え、使用者の操作に従って前記棒状化粧料が進退し前記開口から出没する棒状化粧料繰出容器において、
前記容器先端の開口縁の短径側に、長径側の両開口縁より前方に突出する突出部を備えたことを特徴とする棒状化粧料繰出容器。
【請求項２】
前記突出部は、前記容器先端の開口縁の両短径側に設けられていることを特徴とする請求項１記載の棒状化粧料繰出容器
【請求項３】
前記棒状化粧料の横断面形状は略長方形であり、
前記開口は容器先端側から見て略長方形であることを特徴とする請求項１又は２記載の棒状化粧料繰出容器。
【請求項４】
前記突出部の開口縁の少なくとも先端は、縁取り形状とされていることを特徴とする請求項１〜３の何れか一項に記載の棒状化粧料繰出容器。
【発明の詳細な説明】
【技術分野】
【０００１】
本発明は、棒状化粧料を繰り出して使用する棒状化粧料繰出容器に関する。
【背景技術】
【０００２】
従来、棒状化粧料繰出容器として、横断面楕円形状の棒状化粧料を内蔵すると共に容器先端に棒状化粧料が出没するための楕円形状の開口を備え、使用者の操作に従って棒状化粧料が進退（前進／後退）し上記開口から出没する棒状化粧料繰出容器が知られている（例えば、特許文献１参照）。
【特許文献１】特開平１１−７５９３４号公報
【発明の開示】
【発明が解決しようとする課題】
【０００３】
ところで、上記楕円形状の棒状化粧料を使用する場合には、太い線、細い線等の種々の線を描くことが可能であり、棒状化粧料を開口から出現させて棒状化粧料の長軸側の端部を被塗布部に押し当て、短軸方向に引いて線を描く場合がある。しかしながら、このように短軸方向に引いて線を描くと、棒状化粧料は短軸方向の厚みが薄いため、当該棒状化粧料が折損することがある。
【０００４】
本発明は、このような課題を解決するために成されたものであり、棒状化粧料の折損が防止される棒状化粧料繰出容器を提供することを目的とする。
【課題を解決するための手段】
【０００５】
本発明による棒状化粧料繰出容器は、横断面形状が長径と短径を有する棒状化粧料を内蔵すると共に容器先端側から見て長径と短径を有する形状の開口を先端に備え、使用者の操作に従って棒状化粧料が進退し開口から出没する棒状化粧料繰出容器において、容器先端の開口縁の短径側に、長径側の両開口縁より前方に突出する突出部を備えたことを特徴としている。
【０００６】
このような棒状化粧料繰出容器によれば、容器先端側から見て長径と短径を有する形状の開口を具備し、この容器先端の開口縁の短径側に、長径側の両開口縁より前方に突出する突出部を備えているため、使用者の操作に従って、横断面形状が長径と短径を有する棒状化粧料が前進すると、棒状化粧料の長径側の端部が開口から出現すると共に短径側の外面が突出部に近接した状態で当該突出部により保護された状態とされ、この状態で棒状化粧料の長径側の端部が被塗布部に押し当てられて短径方向に引かれて線が描かれると、棒状化粧料の短径側の外面が突出部に直ちに受け止められる。従って、棒状化粧料の折損が防止される。
【０００７】
ここで、突出部は、容器先端の開口縁の両短径側に設けられているのが好ましい。このような構成を採用した場合、棒状化粧料を短径方向の何れの方向に引いても、当該棒状化粧料の折損が防止されるようになる。
【０００８】
また、上記作用を効果的に奏する構成としては、具体的には、棒状化粧料の横断面形状は略長方形であり、開口は容器先端側から見て略長方形である構成が挙げられる。
【０００９】
ここで、例えば棒状化粧料繰出容器を落とし突出部の先端が床等に当たると、突出部の先端が潰れてしまい、当該突出部の先端の開口縁側に内側に突出する潰れ部が生じ、この潰れ部が、進退する棒状化粧料にくい込み、当該棒状化粧料の進退が不能になったり、棒状化粧料が折損する虞がある。
【００１０】
そこで、突出部の開口縁の少なくとも先端は、縁取り形状とされているのが好ましい。このような構成を採用した場合、当該縁取り形状により、突出部の先端面の開口縁側と棒状化粧料との間が所定に離間されるため、例えば落下等により突出部の先端が潰れ当該突出部の先端の開口縁側に内側に突出する潰れ部が生じても、この潰れ部が棒状化粧料に到達することが防止され、従って、棒状化粧料の進退が良好に成されると共に棒状化粧料の折損が防止される。また、開口縁の全てが縁取り形状にされていると、開口縁に角部が無いため、棒状化粧料を開口を通して容器内に挿入する際に、当該棒状化粧料を傷付けることが防止される。
【発明の効果】
【００１１】
このように本発明によれば、横断面形状が長径と短径を有する棒状化粧料を内蔵すると共に容器先端側から見て長径と短径を有する形状の開口を先端に備え、棒状化粧料の長径側の端部を被塗布部に押し当て短径方向に引いて線を描く場合に棒状化粧料の折損を防止できる棒状化粧料繰出容器を提供することが可能となる。
【発明を実施するための最良の形態】
【００１２】
以下、本発明による棒状化粧料繰出容器の好適な実施形態について図１〜図２４を参照しながら説明する。なお、各図において、同一の要素には同一の符号を付し、重複する説明は省略する。
【００１３】
図１〜図１５は、本発明の第一実施形態を、図１６〜図２４は、本発明の第二〜第七実施形態を各々示すものであり、先ず、図１〜図１５を参照しながら第一実施形態について説明する。図１は、第一実施形態に係る棒状化粧料繰出容器の外観を示す斜視図、図２は、棒状化粧料繰出容器の縦断斜視図、図３〜図７は、棒状化粧料カートリッジを示す各図、図８は、カートリッジ筒を示す縦断斜視図、図９〜図１１は、螺子筒を示す各図、図１２〜図１４は、棒状化粧料支持体を示す各図、図１５は、棒状化粧料繰出容器の棒状化粧料を繰り出した状態を示す平面図である。
【００１４】
ここで用いられる棒状化粧料は、例えばアイブローを始めとしたアイライナー、リップライナー等の種々の固形状の棒状化粧料であって、図５及び図６に示すように、横断面形状が長径と短径を有する構成の棒状化粧料Ｍであり、ここでは、横断面長方形形状の扁平な棒状化粧料Ｍが用いられている。
【００１５】
図１に示すように、棒状化粧料繰出容器１００は、全体形状が筆記具の如き細長い丸棒状（スティック状）を成し良好な外観を呈するもので、図２に示すように、上記棒状化粧料Ｍを収容する棒状化粧料カートリッジ１を、カートリッジ収容容器２の一方端側（図示左側）に着脱可能に備えると共に、このカートリッジ収容容器２の他方端側に例えばチップ等の塗布具３を着脱可能に備え、棒状化粧料カートリッジ１の外形を構成するカートリッジ筒４とカートリッジ収容容器２とが使用者により相対回転されると、棒状化粧料Ｍがカートリッジ筒４の先端から出没するものである。なお、塗布具３は、着脱可能なキャップ５により必要に応じて覆うことが可能とされている。
【００１６】
カートリッジ収容容器２は、両端が開放されて成る円筒形状に構成されている。このカートリッジ収容容器２は、筒内の軸線方向略中央位置が中仕切２ａで仕切られ、この中仕切２ａより図示左側の筒内に、棒状化粧料カートリッジ１の後半部を収容する空間が画成されると共に、右側の筒内に、塗布具３の後半部を収容する空間が画成されている。
【００１７】
この両空間を仕切る中仕切２ａには、その中央に、棒状化粧料カートリッジ１を収容する空間に向かう係合部２ｂが突設されている。この係合部２ｂは、棒状化粧料カートリッジ１内に装着されている螺子筒６を回転方向に係合するためのもので、軸体の外周面に軸線方向に延びる突条を円周方向に複数備える横断面非円形形状に構成されている。
【００１８】
また、カートリッジ収容容器２には、先端側の内周面に、棒状化粧料カートリッジ１のカートリッジ筒４を軸線方向に着脱可能に係合するための環状溝部２ｃが形成されている。
【００１９】
棒状化粧料カートリッジ１は概略、図３及び図４に示すように、段付き筒形状を成すカートリッジ筒４を外形構成として具備し、このカートリッジ筒４内に、図５に示すように、棒状化粧料Ｍと、これを支持する棒状化粧料支持体７と、この棒状化粧料支持体７と螺合する螺合機構を構成する螺子筒６と、を収容して成る。
【００２０】
図１及び図２に示すように、カートリッジ筒４は、カートリッジ収容容器２から突出する前半側の摘み部としての外径大径部４ｘと、図３及び図４に示すように、この外径大径部４ｘの後端に段差面４ｑを介して連設される後半側の外径小径部４ｙとを、例えば合成樹脂等の可撓性材で一体成形して成る。
【００２１】
外径大径部４ｘは、段差面４ｑから当該段差面４ｑの近傍までの外面が円形状に構成されると共に、この円形状の外面から先端に亘る外面が、先端に向けて徐々に細くなる外面とされ、その先端部において、収容される棒状化粧料Ｍの短径側の端部Ｍａ（図５参照）に対応する外面（図４の上下方向の外面）が、棒状化粧料Ｍの長径側の端部Ｍｂ（図５参照）に対応する外面（図４の紙面垂直方向の外面）より細くされ、棒状化粧料Ｍの短径方向（図４の上下方向）に扁平な形状とされている。
【００２２】
図３に示すように、外径大径部４ｘの先端には、カートリッジ筒４内に収容された棒状化粧料Ｍを出没させるための開口４ａが設けられている。この開口４ａは、カートリッジ筒４の先端側（容器先端側）から見て棒状化粧料Ｍと同様な長方形形状とされている。そして、図３〜図５に示すように、カートリッジ筒４先端の開口縁の短径側に、長径側の両開口縁４ｂ，４ｂより前方に突出する突出部４ｚを、一対対向して備えている。この突出部４ｚは、ひょうたんの先端部を扁平にしたような形状を呈している。
【００２３】
外径小径部４ｙは、略円筒形状を成し、カートリッジ収容容器２の内径より小とされて挿入可能とされている。
【００２４】
この外径小径部４ｙには、図３及び図４に示すように、先端側の位置で軸線を挟む１８０°対称位置に、弾性係合部４ｃ，４ｃが各々設けられている。この弾性係合部４ｃは、外径小径部４ｙの周壁に穿設されるコの字状割溝４ｄにより形成され、成形材である合成樹脂等の可撓性に従って板バネの役割を果たす半島部４ｅと、この半島部４ｅの外周面から突出する突部４ｆと、を備えている。この突部４ｆは、カートリッジ収容容器２の環状溝部２ｃに軸線方向に着脱可能に係合するためのものとして設けられていると共に、この環状溝部２ｃに進入してカートリッジ収容容器２に弾性的に当接し、カートリッジ収容容器２とカートリッジ筒４との間に良好な回転抵抗を与え且つ径方向のガタツキを防止するためのものとして設けられている。
【００２５】
カートリッジ筒４の先端の開口４ａに連設されて軸線方向に貫通する筒孔は、図８に示すように、先端の開口４ａから軸線方向中央辺り迄が、図６〜図８に示すように、横断面長方形形状の棒状化粧料Ｍを収容し摺動を可能とする横断面長方形形状の棒状化粧料孔４ｇとされている。
【００２６】
この棒状化粧料孔４ｇの先端近傍から棒状化粧料孔４ｇの後端に亘っては、横断面長方形形状の棒状化粧料孔４ｇの長径側の端部（図６の上下方向の位置）に、棒状化粧料支持体７の後述する支持片７ｂを収容し摺動を可能とする支持片進退溝４ｈが連設されている。また、棒状化粧料孔４ｇの支持片進退溝４ｈの先端より後方の位置から棒状化粧料孔４ｇの後端に亘っては、横断面長方形形状の棒状化粧料孔４ｇの短径側の端部（図６の左右方向の位置）に、棒状化粧料支持体７の後述する円柱状の軸体部７ｃの円弧部７ｙを収容し摺動を可能とする軸体部進退溝４ｉが連設されている。そして、これらの棒状化粧料孔４ｇ、支持片進退溝４ｈ及び軸体部進退溝４ｉにより進退孔４ｋが構成されている。
【００２７】
また、図８に示すように、進退孔４ｋの終端からカートリッジ筒４の後端迄の筒孔は、螺子筒６を収容するためのもので、進退孔４ｋの後端に段差面４ｐを介して連設され進退孔４ｋより大径の横断面円形形状の螺子筒収容孔４ｍとされている。この螺子筒収容孔４ｍの後端寄りの位置には、螺子筒６を軸線方向に係合するための環状凹凸部（凹凸部が軸線方向に並ぶもの）４ｎが設けられている。
【００２８】
なお、ここでは、カートリッジ筒４の進退孔４ｋと螺子筒収容孔４ｍとの間の段差面４ｐが、棒状化粧料支持体７の前進時に棒状化粧料支持体７の後述の軸体部７ｃの膨出部７ｇの先端面７ｊ（図１２参照）が当接し、当該棒状化粧料支持体７の最大繰り出しとする前進限として機能する。因みに、図８に示すように、カートリッジ筒４の軸体部進退溝４ｉの先端面４ｒを、棒状化粧料支持体７の前進時に棒状化粧料支持体７の後述の軸体部７ｃの円弧部７ｙの先端面７ｚ（図１２参照）が当接し、当該棒状化粧料支持体７の最大繰り出しとする前進限としても良い。
【００２９】
図９及び図１０に示すように、螺子筒６は、略有底円筒形状を成し、例えば合成樹脂等の可撓性材で形成されている。この螺子筒６には、図１０に示すように、内周面の先端から有底部６ｅまでに、螺合機構を構成する雌螺子６ａが設けられている。また、有底部６ｅの後側の面には、図９〜図１１に示すように、半径方向（放射方向）に弾力的に押し開き可能な弾性突部６ｂが後方へ突出するように設けられている。この弾性突部６ｂは、カートリッジ収容容器２の係合部２ｂに回転方向に係合するためのものとして設けられているもので、周方向に沿う四等配の位置に配設される四片の突部であり、図１１に示すように、当該突部の内側に向かう頂部に、カートリッジ収容容器２の係合部２ｂの突条が進入するＶ字状の溝６ｆが軸線方向に延びるようにして設けられている。
【００３０】
また、図７及び図９に示すように、螺子筒６の外周面におけるカートリッジ筒４の弾性係合部４ｃに対応する位置には、半島部４ｅが内側に撓んだ時の逃げとなる環状溝部６ｃが設けられていると共に、図９及び図１０に示すように、螺子筒６の後端部の外周面には、環状突部６ｄが、カートリッジ筒４の環状凹凸部４ｎに軸線方向に係合するものとして設けられている。
【００３１】
この螺子筒６は、図７に示すように、カートリッジ筒４の螺子筒収容孔４ｍに内挿され、その環状突部６ｄが、カートリッジ筒４の環状凹凸部４ｎに係合することで、カートリッジ筒４に相対回転可能且つ軸線方向離脱不能に装着されている。
【００３２】
なお、ここでは、螺子筒６の有底部６ｅ（図１０参照）が、棒状化粧料支持体７の後退時に棒状化粧料支持体７の後述の膨出部７ｇ（図１２参照）の後端面が当接し、当該棒状化粧料支持体７の最大繰り戻しとする後退限として機能する。
【００３３】
棒状化粧料支持体７は、例えば合成樹脂等の可撓性材で形成され、図１２〜図１４に示すように、棒状化粧料Ｍの後端面を突き当てるための基部７ａと、この基部７ａに突き当てられた棒状化粧料Ｍの後端部を支持するための一対の対向する支持片７ｂと、を一体に備え、さらに、基部７ａの後側に、後方に延在する軸体部７ｃを備えている。
【００３４】
図１４に示すように、基部７ａは、正面視において、棒状化粧料Ｍの横断面形状と略合致する形状とされ、図１２及び図１４に示すように、長径側の両端部の外周面に、前方に突出する支持片７ｂが各々設けられている。
【００３５】
支持片７ｂは、棒状化粧料Ｍの長径側の端部Ｍｂを支持するもので、正面視及び側面視において、基部７ａより大きく形状とされている。この支持片７ｂは、その先端部の内面に、棒状化粧料Ｍの長径側の端部Ｍｂを基部７ａ側へガイドして進入させると共に支持するためのガイド溝７ｄを備えている。
【００３６】
また、支持片７ｂ内面のガイド溝７ｄの後ろから基部７ａ近くにかけては、棒状化粧料Ｍの離脱を防止するための抜止部７ｅが設けられている。この抜止部７ｅは、内側（棒状化粧料支持体７の軸線）に向かって突出する突出部７ｆを軸線方向に複数並列することで構成され、略鋸刃状を成すように配列されている。すなわち、各突部７ｆは、その後端面が、支持片７ｂの内面に対して略垂直に起立されていると共に、前側の面が傾斜面とされている。
【００３７】
軸体部７ｃは、円柱形状に構成されて基部７ａと同軸に配置されている。この軸体部７ｃの直径は、基部７ａの短径より大きく且つ長径より小さくされ、正面視において基部７ａの短径側の両端部の外周面から外側に、軸体部７ｃの外周側の円弧部７ｙが現れる構成とされている。
【００３８】
図１２及び図１３に示すように、軸体部７ｃの後端部は、これより前側の部分より大径の膨出部７ｇとされ、この膨出部７ｇの外周面に螺合機構を構成する雄螺子が設けられている。この膨出部７ｇに対しては、図１３に示すように、後端面から割溝７ｉが形成され、この割溝７ｉにより雄螺子が非連続とされ間欠的に配される螺合突起７ｈとされている。そして、割溝７ｉを境として分けられた螺合突起７ｈ，７ｈは各々、割溝７ｉにより半径方向に弾性変形可能とされている。
【００３９】
このように構成された棒状化粧料支持体７は、図７に示すように、その軸体部７ｃが螺子筒６に内挿され、その螺合突起７ｈが、螺子筒６の雌螺子６ａに螺合することで、螺合機構が構成され、図６及び図７に示すように、その基部７ａ及び支持片７ｂがカートリッジ筒４の進退孔４ｋに内挿され基部７ａが棒状化粧料孔４ｇに摺動可能に進入すると共に支持片７ｂが支持片進退溝４ｈに摺動可能に進入した状態とされている。
【００４０】
この状態で、螺合突起７ｈ，７ｈは、割溝７ｉにより半径方向に付勢され、螺子筒６にガタ付き無く確実に螺合されている。
【００４１】
一方、棒状化粧料Ｍは、図５に示すように、支持片７ｂのガイド溝７ｄを通して挿入されてその後端面が基部７ａに突き当てられ、当該棒状化粧料Ｍの長径側の両端部Ｍｂが支持片７ｂにより各々支持された状態とされている。この状態で、棒状化粧料Ｍの後端部は、支持片７ｂの抜止部７ｅにめり込んだ状態とされ、棒状化粧料Ｍの支持片７ｂからの離脱が十分に防止されている。加えて、抜止部７ｅの各突部７ｆの前側の面が傾斜面とされているため、この傾斜面に従って、棒状化粧料Ｍの挿入が容易とされている。
【００４２】
そして、この状態で、図６に示すように、進退孔４ｋの棒状化粧料孔４ｇ（軸体部進退溝４ｉを除く部分）が棒状化粧料Ｍ（基部７ａ）の短径側の端部Ｍａに近接すると共に、進退孔４ｋの支持片進退溝４ｈが支持片７ｂの外周面に近接する状態とされている。
【００４３】
なお、棒状化粧料支持体７の横断面長方形形状の基部７ａは、これに近接する横断面長方形形状の棒状化粧料孔４ｇと共に棒状化粧料支持体７の回り止め部として機能する。従って、棒状化粧料支持体７の進退時に回り止め部として棒状化粧料支持体７に作用する回転トルクは、棒状化粧料Ｍを支持する支持片７ｂには殆ど作用せずに基部７ａに作用し、棒状化粧料Ｍの破損防止が図られている。
【００４４】
このように構成された図３及び図５に示す棒状化粧料カートリッジ１は、先ず、螺子筒６と棒状化粧料支持体７とを相対回転し螺合しながら棒状化粧料支持体７を螺子筒６に装着し、次いで、この棒状化粧料支持体７を有する螺子筒６を、その先端側からカートリッジ筒４の後端の開口に内挿してカートリッジ筒４に装着し、次いで、棒状化粧料Ｍを、その後端側からカートリッジ筒４の先端の開口４ａに挿入し棒状化粧料支持体７に装着することで得られる。
【００４５】
そして、このようにして得られた棒状化粧料カートリッジ１を、図２に示すように、その後端側から、カートリッジ収容容器２の先端の開口に内挿し、カートリッジ筒４の段差面４ｑをカートリッジ収容容器２の先端面に突き当てることで、カートリッジ筒４は、その弾性係合部４ｃの突部４ｆがカートリッジ収容容器２の環状溝部２ｃに軸線方向に係合し、カートリッジ収容容器２に相対回転可能且つ軸線方向に着脱可能（使用者により所定の力で引き抜かれる以外はカートリッジ収容容器２に対して軸線方向離脱不能）に装着され、この状態で、螺子筒６の弾性突部６ｂが、カートリッジ収容容器２の中仕切２ａの係合部２ｂに回転方向に係合し、螺旋筒６がカートリッジ収容容器２に同期回転可能に装着され、これにより、棒状化粧料繰出容器１００が得られる。
【００４６】
次に、このような棒状化粧料繰出容器１００の使用について説明する。使用者が、カートリッジ収容容器２と棒状化粧料カートリッジ１のカートリッジ筒４におけるカートリッジ収容容器２から突出する外径大径部４ｘとを持って一方向に相対回転すると、螺子筒６の雌螺子６ａ及び棒状化粧料支持体７の螺合突起７ｈで構成される螺合機構、棒状化粧料支持体７の基部７ａ及びカートリッジ筒４の棒状化粧料孔４ｇで構成される回り止め部に従い、棒状化粧料支持体７が前進し、棒状化粧料Ｍがカートリッジ筒４の先端の開口４ａから出現する一方で、使用者が、カートリッジ収容容器２と棒状化粧料カートリッジ１のカートリッジ筒４とを一方向の反対方向である他方向に相対回転すると、棒状化粧料支持体７が後退し、棒状化粧料Ｍがカートリッジ筒４の先端の開口４ａから没入する。
【００４７】
この棒状化粧料支持体７の進退時にあっては、図６及び図７に示すように、棒状化粧料Ｍ（棒状化粧料支持体７の基部７ａ）が棒状化粧料孔４ｇを摺動し、棒状化粧料支持体７の支持片７ｂが支持片進退溝４ｈを摺動し、棒状化粧料支持体７の軸体部７ｃの正面視において基部７ａの短径側の両端部の外周面から外側に現れている円弧部７ｙ（図７参照）が、軸体部進退溝４ｉを摺動する。
【００４８】
ここで、棒状化粧料支持体７が前進し、棒状化粧料支持体７の軸体部７ｃの膨出部７ｇの先端面７ｊ（図５参照）がカートリッジ筒４の段差面４ｐ（図８参照）に当接すると、棒状化粧料支持体７が前進限が達したことになる。また、前述したように、棒状化粧料支持体７の軸体部７ｃの円弧部７ｙの先端面７ｚが、カートリッジ筒４の軸体部進退溝４ｉの先端面４ｒ（図７参照）に当接することで、棒状化粧料支持体７の前進限としても良い。
【００４９】
このように、棒状化粧料支持体７の前進限を、棒状化粧料Ｍを支持する支持片７ｂから軸線方向後方に離れた膨出部７ｇ（又は軸体部７ｃ）とし、支持片７ｂの先端面を前進限としていないため、棒状化粧料支持体７が前進限に達したときに支持片７ｂに負荷が殆ど作用することが無く、支持片７ｂに支持されている棒状化粧料Ｍの折損や抜け出しの防止が図られている。
【００５０】
また、棒状化粧料支持体７が進退して当該棒状化粧料支持体７が前進限や後退限に達しさらに棒状化粧料支持体７に使用者により同方向の相対回転力が付与された場合には、カートリッジ収容容器２の係合部２ｂの突条が、螺子筒６の弾性突部６ｂを半径方向に押し広げて回転方向の係合を解除し、隣の弾性突部６ｂに係合する動作を繰り返す所謂クラッチとして機能し、部品に過負荷が作用することが無く、部品の損傷が防止されている。
【００５１】
そして、特に本実施形態においては、図３及び図４に示すように、容器先端の開口縁の短径側に、長径側の両開口縁４ｂ，４ｂより前方に突出する突出部４ｚを備えているため、棒状化粧料Ｍが前進すると、図１５に示すように、棒状化粧料Ｍの長径側の両端部Ｍｂが開口４ａから出現し、すなわち、棒状化粧料Ｍの短径方向（図１５の紙面垂直方向）視において突出部４ｚに覆われずに外部に出現すると共に、棒状化粧料Ｍの短径側の外面が突出部４ｚに近接した状態で棒状化粧料Ｍの短径方向視において覆われ保護された状態とされる。
【００５２】
従って、この状態で、使用者により、棒状化粧料Ｍの長径側の端部Ｍｂが被塗布部に押し当てられて短径方向に引かれて線が描かれると、棒状化粧料Ｍの短径側の外面が、近接する突出部４ｚに直ちに受け止められる。このため、棒状化粧料Ｍの長径側の端部Ｍｂを被塗布部に押し当て短径方向に引いて線を描く場合の棒状化粧料Ｍの折損の防止が図られている。
【００５３】
また、本実施形態においては、容器先端の開口縁の両短径側に突出部４ｚを備える構成のため、棒状化粧料Ｍを短径方向の何れの方向に引いても、当該棒状化粧料Ｍの折損の防止が図られている。
【００５４】
以下の第二〜第四実施形態においては、第一実施形態とは形状の異なる突出部を示す。
【００５５】
図１６は、本発明の第二実施形態に係る棒状化粧料繰出容器の要部を示す平面図、図１７は、本発明の第三実施形態に係る棒状化粧料繰出容器の要部を示す平面図、図１８は、本発明の第四実施形態に係る棒状化粧料繰出容器の要部を示す平面図、図１９は、図１８に示す棒状化粧料繰出容器の左側面図、図２０は、図１８に示す棒状化粧料繰出容器の右側面図である。
【００５６】
これら第二〜第四実施形態の棒状化粧料繰出容器にあっても、容器先端の開口縁の両短径側に、長径側の両開口縁より前方に突出する突出部を備えている点は、第一実施形態と同様である。
【００５７】
図１６に示す第二実施形態の突出部１４ｚは、短径方向（紙面垂直方向）視において先端に向かって徐々に細くなるＲ形状の突出部とされている。
【００５８】
図１７に示す第三実施形態の突出部２４ｚは、その軸心がこれより後側の容器の軸心に対して長径方向（図示左右方向）にずれて配置されている（突出部２４ｚを含む容器先端部として見ると短径方向視において左右非対称とされている）。また、この第三実施形態にあっては、長径側の開口縁のうちの一方の開口縁４ｂａが他方の開口縁４ｂｂより前方に位置する構成とされている。なお、このように長径側の開口縁４ｂａ，４ｂｂのうちの一方の開口縁４ｂａが他方の開口縁４ｂｂより前方に突出する構成は、他の実施形態に対しても適用可能である。また、この実施形態では、長径側の開口縁４ｂａ，４ｂｂの何れか一方の開口縁４ｂａが前方に位置するようにしているが、同位置にあっても勿論良い。
【００５９】
図１８〜図２０に示す第四実施形態の突出部３４ｚは、その長径側の一方の端面３４ｚｚ（図１８の右側の端面）が、棒状化粧料Ｍの長径側の端部Ｍｂの一方の端面（図１８の右側の端面）とほぼ面一とされ、棒状化粧料Ｍが前進すると、棒状化粧料Ｍの長径側の端部Ｍｂの他方（図１８の左側の端部）が開口４ａから使用可能に出現する一方で、棒状化粧料Ｍの長径側の端部Ｍｂの一方の端面（図１８の右側の端面）が、図２０に示すように、突出部３４ｚ，３４ｚ間のスリット４ｖを通して外部に露出する構成とされている。従って、この第四実施形態にあっては、棒状化粧料Ｍの長径側の端部Ｍｂの他方（図１８の左側の端部）を専ら使用することになる。なお、長径側の開口縁４ｂａ，４ｂｂは、図示のように何れか一方の開口縁４ｂａが前方に位置していても、両方が同位置にあっても良い。
【００６０】
このように構成された第二〜第四実施形態にあっても、第一実施形態とほぼ同様な作用・効果を奏する。
【００６１】
なお、上記第一〜第四実施形態においては、代表的な突出部の形状を挙げたが、突出部の形状は勿論これらに限定されるものではない。
【００６２】
ところで、例えば棒状化粧料繰出容器１００を落とし突出部４ｚ〜３４ｚの先端が床等に当たると、突出部４ｚ〜３４ｚの先端が潰れてしまい、当該突出部４ｚ〜３４ｚの先端の開口縁側に内側に突出する潰れ部が生じ、この潰れ部が、進退する棒状化粧料Ｍにくい込み、当該棒状化粧料Ｍの進退が不能になったり、棒状化粧料Ｍが折損する虞がある。
【００６３】
そこで、これを解決すべく以下の第五〜第七実施形態においては、容器先端の開口縁を工夫した突出部を示す。これらの第五〜第七実施形態では、第一実施形態の突出部４ｚを変更した例を示すが、勿論、第五〜第七実施形態の変更点は、上記第二〜第四実施形態の形状を有する突出部１４ｚ，２４ｚ，３４ｚに対しても同様に適用可能である。
【００６４】
図２１は、本発明の第五実施形態に係る棒状化粧料繰出容器の要部を示す側面図である。この第五実施形態が第一実施形態と違う点は、突出部４ｚの開口縁の先端を縁取り形状４ｓとした点である。この縁取り形状４ｓは、ここでは、突出部４ｚの開口縁の先端を面取り形状とすることで構成されている。
【００６５】
このような第五実施形態によれば、突出部４ｚの開口縁の先端の縁取り形状４ｓにより、突出部４ｚの先端面の開口縁側４ｗと棒状化粧料Ｍとの間が所定に離間されるため、例えば落下等により突出部４ｚの先端が潰れ当該突出部４ｚの先端の開口縁側４ｗに内側に突出する潰れ部が生じても、この潰れ部が棒状化粧料Ｍに到達することが防止される。従って、棒状化粧料Ｍの進退が良好に成されると共に棒状化粧料Ｍの折損が防止される。なお、縁取り形状をＲ面により構成しても良い。
【００６６】
図２２は、本発明の第六実施形態に係る棒状化粧料繰出容器の要部を示す側面図である。この第六実施形態が第五実施形態と違う点は、面取り形状の縁取り形状４ｓを、段差形状の縁取り形状４ｔに代えた点である。
【００６７】
このような第六実施形態にあっても、例えば落下等により突出部４ｚの先端が潰れ突出部４ｚの先端の開口縁側４ｗに内側に突出する潰れ部が生じた場合、段差形状の縁取り形状４ｔにより、潰れ部が棒状粧料Ｍに到達することが防止されるため、棒状化粧料Ｍの進退が良好に成されると共に棒状化粧料Ｍの折損が防止される。
【００６８】
図２３は、本発明の第七実施形態に係る棒状化粧料繰出容器の要部を示す側面図、図２４は、図２３に示す棒状化粧料繰出容器の正面図である。この第七実施形態が第五実施形態と違う点は、突出部４ｚの開口縁の先端の縁取り形状４ｓに加えて、これ以外の開口縁全部を縁取り形状４ｕとした点である。
【００６９】
このような第七実施形態によれば、第五実施形態と同様な効果を得ることができ、加えて、開口縁の全てに角部が無いため、棒状化粧料Ｍを開口４ａを通して容器内に挿入する際に、当該棒状化粧料Ｍを傷付けることが防止される。
【００７０】
以上、本発明をその実施形態に基づき具体的に説明したが、本発明は上記実施形態に限定されるものではなく、例えば、上記実施形態においては、棒状化粧料カートリッジ１を着脱可能としているが、着脱不能であっても良い。また、本発明は、カートリッジタイプではない棒状化粧料繰出容器に対しても適用可能である。
【００７１】
また、上記実施形態においては、特に好ましいとして、棒状化粧料Ｍを横断面長方形形状のものとしているが、これに限定されるものではなく、例えば横断面楕円形状の棒状化粧料等とすることもでき、要は、例えば横断面円形形状や横断面正方形形状等を除く横断面形状が長径と短径を有する棒状化粧料に対して適用可能である。
【００７２】
また、上記実施形態において、雄螺子、雌螺子は、間欠的に配される突起群又は螺旋状且つ間欠的に配される突起群のように螺子山と同様な働きをするものであっても良く、また、螺合突起は、連続する螺子山であっても良い。
【００７３】
さらにまた、上記実施形態においては、特に好ましいとして、容器先端の開口縁の両短径側に突出部４ｚ〜３４ｚを備え、棒状化粧料Ｍを短径方向の何れの方向に引いても当該棒状化粧料Ｍが折損しないようにしているが、容器先端の開口縁の短径側の一方のみに突出部４ｚ，１４ｚ，２４ｚ，３４ｚを備えるようにすることも可能である。
【図面の簡単な説明】
【００７４】
【図１】本発明の第一実施形態に係る棒状化粧料繰出容器を示す斜視図である。
【図２】図１に示す棒状化粧料繰出容器の縦断斜視図である。
【図３】図１及び図２中の棒状化粧料カートリッジの斜視図である。
【図４】図３に示す棒状化粧料カートリッジの側面図である。
【図５】図３に示す棒状化粧料カートリッジの縦断斜視図である。
【図６】図５のVI−VI矢視図である。
【図７】図５に示す棒状化粧料カートリッジから棒状化粧料を取り外した縦断斜視図である。
【図８】図３〜図５中のカートリッジ筒を示す縦断斜視図である。
【図９】図５中の螺子筒を示す斜視図である。
【図１０】図９に示す螺子筒の縦断斜視図である。
【図１１】図９に示す螺子筒の背面図である。
【図１２】図５中の棒状化粧料支持体を示す斜視図である。
【図１３】図１２に示す棒状化粧料支持体の側面図である。
【図１４】図１３に示す棒状化粧料支持体の正面図である。
【図１５】本発明の第一実施形態に係る棒状化粧料繰出容器の棒状化粧料を繰り出した状態を示す平面図である。
【図１６】本発明の第二実施形態に係る棒状化粧料繰出容器の要部を示す平面図である。
【図１７】本発明の第三実施形態に係る棒状化粧料繰出容器の要部を示す平面図である。
【図１８】本発明の第四実施形態に係る棒状化粧料繰出容器の要部を示す平面図である。
【図１９】図１８に示す棒状化粧料繰出容器の左側面図である。
【図２０】図１８に示す棒状化粧料繰出容器の右側面図である。
【図２１】本発明の第五実施形態に係る棒状化粧料繰出容器の要部を示す側面図である。
【図２２】本発明の第六実施形態に係る棒状化粧料繰出容器の要部を示す側面図である。
【図２３】本発明の第七実施形態に係る棒状化粧料繰出容器の要部を示す側面図である。
【図２４】図２３に示す棒状化粧料繰出容器の正面図である。
【符号の説明】
【００７５】
１…棒状化粧料カートリッジ（棒状化粧料繰出容器）、４ａ…開口、４ｂ，４ｂａ，４ｂｂ…容器先端の長径側の開口縁、４ｓ，４ｔ，４ｕ…縁取り形状、４ｚ，１４ｚ，２４ｚ，３４ｚ…突出部、１００…棒状化粧料繰出容器、Ｍ…棒状化粧料。
【図１】
2008036071.tif 000003
【図２】
2008036071.tif 000004
【図３】
2008036071.tif 000005
【図４】
2008036071.tif 000006
【図５】
2008036071.tif 000007
【図６】
2008036071.tif 000008
【図７】
2008036071.tif 000009
【図８】
2008036071.tif 000010
【図９】
2008036071.tif 000011
【図１０】
2008036071.tif 000012
【図１１】
2008036071.tif 000013
【図１２】
2008036071.tif 000014
【図１３】
2008036071.tif 000015
【図１４】
2008036071.tif 000016
【図１５】
2008036071.tif 000017
【図１６】
2008036071.tif 000018
【図１７】
2008036071.tif 000019
【図１８】
2008036071.tif 000020
【図１９】
2008036071.tif 000021
【図２０】
2008036071.tif 000022
【図２１】
2008036071.tif 000023
【図２２】
2008036071.tif 000024
【図２３】
2008036071.tif 000025
【図２４】
2008036071.tif 000026